(57)【要約】【課題】  エアコンの室内機用の据付板を正確かつスピーディに位置決め及び水平調整して壁面に取り付けること。【解決手段】  略断面四辺形で横長の水準器本体１及びこれに配した水平測定部２からなる水準器３と、水準器本体１の両側面に表示した寸法基準線４、４と、水準器本体１の端部側に配した、穴指示棒５を備えた穴指示部６と、水準器本体１の両側面に二個ずつ配した磁石部材７、７…と、水準器本体１の下面に配設した管体８とで構成し、更にこれに、表裏貫通する抱持孔９を開口した磁石部材１０及び抱持孔９に挿入状態で固定した鋲状部材１１からなる一時保持手段１２を組み合わせた。【選択図】図１
2019117042.tif 000002
【特許請求の範囲】
【請求項１】
エアコンの室内機用据付板の下辺から前方に張り出す、該据付板の水平基準面でもあり得る張出部上に載置して使用するエアコンの室内機用据付板の位置決め具であって、
略断面四辺形で横長の水準器本体及びその一部に配した水平測定部からなる水準器と、
前記水準器本体の両側面に表示した寸法基準部と、
前記水準器本体に、前記据付板の寸法基準部から配管穴までの間隔として指示されている寸法分だけ該水準器本体の寸法基準部からその端部側に寄った部位に配した穴指示部であって、取付対象の壁に構成した配管穴の内周最下部に当接させるべく、前記端部側に寄った部位より上下方向に必要な変位をさせて穴指示棒を配した穴指示部と、
前記水準器本体の両側面に配した、前記据付板への磁着用の磁石部材と、
で構成したエアコンの室内機用据付板の位置決め具。
【請求項２】
前記据付板の位置決め及び水平調整が完了した後に、該据付板の多数の固定孔のいずれかを通じて一時保持材を作用させて該据付板を壁面に一時保持させる、前記一時保持材を保持した磁石部材からなる一時保持手段を、前記位置決め具に組み合わせた請求項１のエアコンの室内機用据付板の位置決め具。
【請求項３】
前記水準器本体の下面に、その長さ方向に沿い、その幅を下回り、かつその下面の幅方向中央に位置する干渉回避部であって、この位置決め具を前記据付板の張出部上に載置した場合に、前記水準器本体の該据付板の直立部に対面する側の面が、該据付板の直立部と該張出部との間に位置するリブと干渉しないようにするための干渉回避部を構成した請求項１又は２のエアコンの室内機用据付板の位置決め具。
【請求項４】
前記干渉回避部にその長さ方向に貫通する貫通孔を構成し、
幅確保定規を、前記干渉回避部の貫通孔の前記穴指示部に近接する側の端部と反対側の端部から引き出し得るように進退自在に挿入し、
かつ前記幅確保定規の引き出し限度を、前記据付板に据え付けた場合の室内機の対応する側の側部に到達するまでに設定した請求項３のエアコンの室内機用据付板の位置決め具。
【発明の詳細な説明】
【技術分野】
【０００１】  本発明は、エアコンの室内機を室内の壁面に据え付ける際に利用する、エアコンの室内機用据付板の位置決め具、特に、予め室内の壁にドレン用及び冷媒用の各配管を通すための配管穴を開口構成しておき、その配管穴と整合性の取れた位置関係で室内機を壁面に配置すべく、対象の据付板を水平状態を確保しながら位置決めするエアコンの室内機用据付板の位置決め具に関するものである。
【背景技術】
【０００２】  この種のエアコンの室内機用据付板は、室内の壁面に取り付けるに際し、通常、これを介して据え付ける室内機のサイズを考慮して、天井や側方の壁面から一定以上の間隔を空けて位置決めし、同時に水平状態を確保した上で、該壁面に取り付け、更に該壁面には、この据付板と所定の位置関係で、ドレン用及び冷媒用の各配管を通す配管穴の位置決めを行い、かつその位置に該配管穴を開ける作業が行われることになっている。【０００３】  このような据付板の取付手順は、そのいずれの段階（据付板の位置決め、水平状態の調整、配管穴の開口）についても、新築の集合住宅の同一規格の多数の部屋の壁面に建築途中の段階で行われるのではなく、既設の又は新築であっても竣工後の一戸建ての建物の壁面に行われることを前提としているものと思われる。【０００４】  既設の建物の仕上げの済んだ壁面にエアコンを設置するための全ての作業を行う取付手順に対して、新築の建物の場合には、前記ドレン用及び冷媒用の各配管を通すための配管穴は、壁を仕上げる途中の段階で設置することが可能であり、またそうすれば、開口した穴に合わせて壁内部にスリーブパイプを配設し、その内側に通す前記ドレン用及び冷媒ガス用の各配管の保護を十分にすることが可能となる。【０００５】  更に新築の建物が大規模な集合住宅である場合には、同一の規格の部屋が連続する場合が多いので、取付対象の据付板を、室内機のサイズを考慮して、天井や側方の壁面からそれぞれ所要以上の間隔を空けて位置決めし、かつその位置に合わせて取り付けたものと想定し、そのような取り付けられた想定据付板を前提として、前記配管穴の位置決めをし、この配管穴までの、例えば、天井又は側方の壁からの寸法を、専用の棒状メジャー等で測定できるようにしておけば、逆に、据付板を取り付ける前の段階で、該棒状のメジャー等を用いることで、その配管穴の位置決めを極めて簡単に行うことが可能となる利点もある。【０００６】  以上のとおりであり、特に新築の集合住宅の場合は、前記のそうでない建物の場合と異なり、配管穴を先に壁面に開口し、かつ該配管穴にスリーブパイプを配設することが可能であり、前記のように、そうすることにより、これに通す前記ドレン用及び冷媒ガス用の各配管の保護を十分なものとすることができる。また多数の同一規格の部屋が連続する場合には、それが能率的であるため、配管穴を、以上のように、据付板の取り付けに先立って開口すべきことになる。そしてこのようにした場合には、このように構成した配管穴を基準として据付板の位置決めを行い、これを壁面に取り付け、固定するという手順になる。【０００７】  一方、従来の技術は、前記したように、前記既設の建物、或いは新築であっても、壁の完成後に、その壁面に据付板を取り付け、次いで、該据付板を基準として配管穴の位置決めを行い、その位置決めに従って壁面に配管穴を開けるというものである。【０００８】  本発明のエアコンの室内機用据付板の位置決め具を用いる場合とは、作業手順が異なることとなるが、従来技術としては、このような例しか見いだし得なかったので、これに関して若干説明する。前記の説明より具体的に述べる。その作業は、通常、一人の作業者によって行われて���り、それ故、たとえば、一方の手で当該の据付板を壁面の適当な位置に押し当てながら、他方の手でメジャー類を持つ等により、天井からその上辺までの間隔や側方の壁面から側辺までの間隔を計測し、その計測結果に合わせて当該の据付板を上下左右に動かして位置決めを行い、次いでメジャー類を水準器に持ち替え、今度はこの水準器を用いて該据付板の水平の調整を行うというような厄介な作業を行うことになる。【０００９】  そして、その際には、該据付板の位置関係及び水平状態を一方の手で保持しつつ、他方の手で、該据付板の適宜位置に開口してある固定用の孔を通じて釘やタッピングボルト又はネジ等を壁面にねじ込む又は打ち込む等の作業を行い、該据付板を該壁面に固定する。【００１０】  その後、前記のように、据付板との関係で前記配管穴の位置決めを行い、これに合わせて穴を開けることになる。上記の配管穴の位置決めは、通常、対象の据付板の所定の位置からの方向を定め、かつ所定の位置からの寸法を計測して行うことになる。壁面への穴開け作業は適当な開口手段を用いて行う。この場合は、壁の完成後であるため、先に述べたように、該配管穴の内部にスリーブパイプを設置することは困難である。【００１１】  以上のように、壁面への据付板の取り付け作業及び配管穴の位置決め作業は厄介であり、時間もかかるので、据付板自体に種々の工夫を凝らしたものが提案されている。本発明と関連するものであるので、若干のそれを記すことにする。【００１２】  特許文献１は、据付板本体の前面に、中央部付近が低く左右両側辺に向かって徐々に高くなる部分円弧状の転動体通路を構成し、この転動体通路上に転動体を左右方向転動自在に配置し、据付板本体を壁面に配置する際に、この転動体が該転動体通路の中央部に位置するように該据付板本体の角度を調整することで、その水平状態を調整するようにした空気調和機取付用据付板である。【００１３】  この特許文献１の空気調和機取付用据付板では、これを壁面に容易に水平状態に取り付けることができる利点はあるが、無用の転動体通路がその前面に残ること、及び、該据付板の水平状態調整後には、無用になる転動体を有することなどの不都合がある。同時に該据付板の水平調整のための転動体が紛失しやすいものである不都合もある。またこの据付板を壁面に位置決めするための手段がないので、適当なメジャー等を用いて、天井や側方の壁面から上辺又は側辺までの間隔を測定して位置決めをするしかない。更にドレン用及び冷媒用の各配管を通す配管穴の位置を見いだす手段は全くないので、そのためには、同様に、メジャー等を利用して計測するしかない不都合がある。【００１４】  特許文献２は、壁掛式空調機の据付板において、据付板の前面の適所に水平を測定する水準器を設けたものである。【００１５】  この特許文献２の壁掛式空調機の据付板では、特許文献１の空気調和機取付用据付板と同様に、これを壁面に容易に水平状態に取り付けることができる利点はあるが、天井や側方の壁面から上辺又は側辺までの間隔を測定する手段はないので、メジャー等を利用してそれを測定し、位置決めする必要がある。またドレン用及び冷媒用の各配管を通す配管穴の位置を見いだす手段も全くないので、その��めには、特許文献１の場合と同様に、メジャー等を利用して計測するしかない不都合がある。【００１６】  特許文献３は、据付板の両側辺の下部を切り欠いた上で、両側辺を下広がりとなる斜辺に構成し、かつ下部途中に上下方向の位置決めをするマークを付し、左右いずれかに配管穴を開口する場合は、該当する側の側辺である斜辺に沿って延長線を延ばし、更に前記マークから据付板の下辺に平行に左右のいずれか該当する方向に延長線を延ばすこととすれば、両延長線の交点に前記配管穴の軸心を見いだすことができるようにした空気調和機の据付装置である。【００１７】  この特許文献３の空気調和機の据付装置では、配管穴の位置は、以上のようにして見いだし得るが、そのためには、前記斜辺に沿って延長する延長線を描くため、及び前記マークから下辺に平行な線を描くための定規又はこれに準ずる棒状の部材が必要である。また前記据付板それ自体を壁面に位置決めするために、必要に応じてその上辺から上方の天井まで及び側辺から側方の壁面までの双方又は一方の寸法を計測するメジャー等も必要である。更に位置決めした据付板の水平性を確保するために、別に水準器を用意する必要もある。【００１８】  特許文献４は、室内機を据え付ける据付板に、その右側又は左側の下部に開口すべき配管穴の位置を指示する表示部を構成し、該据付板の該表示部には、該配管穴の位置を表示する表示補助部材を組み合わせるものとし、該表示補助部材として前記室内機の点検用又は作業用開口部のカバー部材であって、合成樹脂製のそれを採用した空気調和機である。【００１９】  この特許文献４の空気調和機では、配管穴の開口位置は、室内機のカバー部材である表示補助部材を、前記のように、前記表示部に取り付けた上で、前記据付板を壁面の所定の位置に取り付ければ、該表示補助部材の表示によって見いだし得る。しかし、そのためには、室内機のカバー部材及び該据付板を、それら相互を組み合わせ得るように、前記のような特殊な構成とする必要がある。また該据付板を壁面に取り付ける際に、その水平性を確保するために別に水準器等を用意する必要もあるし、それに先だって該据付板を壁面に位置決めするために、その上辺から上方の天井まで及び側辺から側方の壁面までの双方又は一方の寸法を計測するメジャー等も必要となる。【００２０】  以上において、前記据付板の壁面への取り付けは、いずれにしても、片手で該据付板を支持しながら、他の片方の手で、前記計測等を行い、かつ該壁面への種々の固定手段による固定作業を行うものであり、極めて難しく厄介な作業であるが、これを改善する技術の提案例は現時点では見られない。
【先行技術文献】
【特許文献】
【００２１】
【特許文献１】特開２００１−１３３０３３号公報
【特許文献２】実開平１−１６７５２１号公報
【特許文献３】特開２０１０−１４３７６号公報
【特許文献４】特開２００５−１６８５６号公報
【発明の概要】
【発明が解決しようとする課題】
【００２２】  本発明は、前記したように、新築の集合住宅の同一規格の多数の部屋に連続的にエアコンの設置作業をする場合に、建築途上にその作業に着手し、各部屋の壁面にエアコンの室内機用の据付板を正確かつスピーディに位置決めするために用いる、エアコンの室内機用据付板の位置決め具を提供することを解決の課題とするものである。
【課題を解決するための手段】
【００２３】  本発明の１は、エアコンの室内機用据付板の下辺から前方に張り出す、該据付板の水平基準面でもあり得る張出部上に載置して使用するエアコンの室内機用据付板の位置決め具であって、
略断面四辺形で横長の水準器本体及びその一部に配した水平測定部からなる水準器と、
前記水準器本体の両側面に表示した寸法基準部と、
前記水準器本体に、前記据付板の寸法基準部から配管穴までの間隔として指示されている寸法分だけ該水準器本体の寸法基準部からその端部側に寄った部位に配した穴指示部であって、取付対象の壁に構成した配管穴の内周最下部に当接させるべく、前記端部側に寄った部位より上下方向に必要な変位をさせて穴指示棒を配した穴指示部と、
前記水準器本体の両側面に配した、前記据付板への磁着用の磁石部材と、
で構成したエアコンの室内機用据付板の位置決め具である。【００２４】  本発明の２は、本発明の１のエアコンの室内機用据付板の位置決め具において、
前記据付板の位置決め及び水平調整が完了した後に、該据付板の多数の固定孔のいずれかを通じて一時保持材を作用させて該据付板を壁面に一時保持させる、前記一時保持材を保持した磁石部材からなる一時保持手段を、前記位置決め具に組み合わせたものである。【００２５】  本発明の３は、本発明の１又は２のエアコンの室内機用据付板の位置決め具において、
前記水準器本体の下面に、その長さ方向に沿い、その幅を下回り、かつその下面の幅方向中央に位置する干渉回避部であって、この位置決め具を前記据付板の張出部上に載置した場合に、前記水準器本体の該据付板の直立部に対面する側の面が、該据付板の直立部と該張出部との間に位置するリブと干渉しないようにするための干渉回避部を構成したものである。【００２６】  本発明の４は、本発明の３のエアコンの室内機用据付板の位置決め具において、
前記干渉回避部にその長さ方向に貫通する貫通孔を構成し、
幅確保定規を、前記干渉回避部の貫通孔の前記穴指示部に近接する側の端部と反対側の端部から引き出し得るように進退自在に挿入し、
かつ前記幅確保定規の引き出し限度を、前記据付板に据え付けた場合の室内機の対応する側の側部に到達するまでに設定したものである。
【発明の効果】
【００２７】  本発明の１のエアコンの室内機用据付板の位置決め具によれば、特に新築の大規模な集合住宅の各部屋にエアコンを設置する場合に極めて有効である。このような集合住宅の場合は同一規格の多数の部屋が構成される場合が多いので特に有効なのである。【００２８】  この場合は、予め各部屋の適切な壁の適切な位置にドレン用及び冷媒用の各配管を通すための配管穴を構成しておく必要がある。この配管穴としてはその内部にスリーブパイプを備えたものとし、ドレン用及び冷媒用の各配管の保護が十分になるものとするのが適当である。そのためには、この配管穴は、対象の集合住宅の完成前、例えば、壁の外面側に防水シートを張った段階でその作成を開始するのが適当である。この段階で適切な位置に必要なサイズの穴を開け、壁の内部側に、該壁の厚さにほぼ対応する長さのスリーブパイプを配置し、これを間柱等に固定する。該スリーブパイプに間柱が接する状態にあれば、間柱に釘又はネジ等により固設し、接していない場合には壁内部に間柱又は柱等に固設した支持材を配置し、この支持材に該スリーブパイプを固定する。【００２９】  その後に、部屋の室内側に壁材が内張された場合は、例えば、開口している外部側からその壁材に穴を開ける。外部側に外装材を施す場合には、内側からその外装材に穴を開ける、または予め外側の上方及び側方の適当な部位に目印を付しておき、これらの目印から位置決めをして外側から外装材に穴を開ける。前記スリーブパイプを若干外方に突出状態に配しておいた場合は、外装材は、当該のスリーブパイプと干渉しないように予め対応するサイズの穴を開けてから取り付けることになる。こうして配管穴を予め構成しておく。【００３０】  この配管穴の位置決めは、当然、その後に室内機用の据付板を設置し、これに適切に室内機を据え付けることを前提として行う。
据付板は、通常、幅及び高さ共に、据付対象の室内機のそれより小さく構成されている。それ故、該据付板は、最低でも、その上方には、少なくとも、据え付け状態の室内機の据付板の上辺から上方にはみ出す部分の寸法分及び据付板に該室内機を据え付ける際にその作業上必要なスペースの寸法分の和以上の寸法分だけ、天井との間に隙間を空けておく必要がある。また各横方向には、少なくとも、据え付け状態の室内機が据付板の側辺からはみ出す部分の寸法分だけ、側方の壁面との間に隙間を空けておく必要がある。また据付工事の説明書を参照して、それぞれの隙間はメーカーに要求される以上の十分なものとしておくべきである。【００３１】  従って、据付板は、以上の説明書を参照した上で、その上方及び両横方向に、それぞれ以上の寸法分の隙間をあけつつ位置決めしなければならない。
室内機の据付位置の希望に従って壁面の該当する部位に据付板の取付状態を仮想するが、当然、このとき、上方の天井及び両側方の壁面との間の寸法が前記の必要な寸法以上であることを確かめなければならない。こうして取付状態を仮想した仮想据付板との位置関係で配管穴の位置決めを行う。【００３２】  配管穴の位置決めは、据付板（又は取扱説明書）に記してある指示に従って、その右下部又は左下部の部位に記してある寸法基準部から一定寸法（例えば、１００ｍｍ）だけ左方又は右方の点が軸心となるように行うことになる。多くの場合、寸法基準部は、一定寸法の測定基準となる縦向きの基準線と、その基準線から当該一定寸法先が前記配管穴の軸心であることを示す横向きの矢印とで構成されている。それ故に該基準線から該矢印の示す方向に前記一定寸法だけ離れた点が該配管穴の軸心となる。【００３３】  配管穴は、本発明の１のエアコンの室内機用据付板の位置決め具を用いる場合は、前記のように、予め、各部屋の適切な壁の適切な位置に構成しておくべきものである。従って配管穴の位置は、前記した壁面に取り付けてある据付板との位置関係で定める手順でではなく、据付板を取り付ける前に定めておかなければならない。
具体的には、先に述べた手順で決定された仮想配管穴の位置について、床面から又は床下地面からその仮想配管穴の軸心までの寸法及び少なくとも一側の壁面又は壁面相当位置からその軸心までの寸法を予め計測しておき、それぞれの寸法を表示した棒状定規を作成しておく。そしてこの棒状定規を利用して位置決めを行うのが適当である。こうすれば、集合住宅の各部屋毎に、対象の壁において、それぞれ床面又は床下地面からの寸法と一側の壁面又は壁面相当位置からの寸法とをその棒状定規で計測することによって、極めて簡単に直接に配管穴の軸心の位置決めを行うことができることになる。配管穴の構成は、先に述べたとおりである。【００３４】  本発明の１のエアコンの室内機用据付板の位置決め具では、以上のようにして構成された配管穴の位置を基準として、従来のそれらとは逆の手順で据付板の位置決めを行う。
なお、据付板の右側下方に配管穴を位置させる場合は、位置決め具を、その右側に穴指示部が位置するように向きを定め、また据付板の左側下方に配管穴を位置させる場合は、位置決め具を、その左側に穴指示部が位置するように向きを定める。これは位置決め具を必要に応じて左右反転させれば良い。更にいずれの場合も穴指示部に配した穴指示棒が、位置決め具を、後述するように、据付板の張出部に載せ、その前面に磁着仮固定した場合に、壁面側に突出状態になるように差し替える又は螺合し直す等により向きを調整しておく。【００３５】  以上のように準備した上で、まず、据付板の下端の前方に張り出した張出部の上に、以上のように、前記位置決め具を載せ、かつ該位置決め具の水準器に付してある寸法基準部を該据付板に表示してある配管穴の位置決めのための寸法基準部に一致させ、この状態で、該位置決め具をその水準器本体の側面に配してある磁石部材で該据付板の直立部の前面に磁着仮固定する。【００３６】  次いで、該据付板を部屋の該当する壁面の該当する付近に移動させ、該位置決め具の穴指示部に配してある穴指示棒を壁に構成してある配管穴の内周最下部に当接させ、かつ該据付板の背面を壁面に当接させる。それらの各当接状態を維持しながら、該位置決め具の水準器を用いて該据付板を水平状態に調節する。【００３７】  その後、そのように位置決めし、かつ水平状態に調整した据付板を、その各所に開口してある固定孔を通じてネジ類又は釘類を壁にねじ込み又は打ち込んで、壁面に固定する。また背後の間柱等の位置との関係上、必要に応じて固定孔の開口してない部位にもタッピングネジをねじ込んで固定を確実にする。このようにして極めて簡単かつスピーディに据付板の壁面への位置決め、水平状態の調節及び取り付けを行うことができる。従来の一般の手順で一般のメジャーや水準器を用いて行う場合に比して１／５以下の短時間で作業を完了させるることができる。また未熟練者でも熟練者と同様に正確かつ短時間で作業完了可能である。【００３８】  本発明の２のエアコンの室内機用据付板の位置決め具によれば、据付板を、壁面に、配管穴との関係で適切に位置決めし、かつ水平状態に調整した後に、この据付板を、片手で保持した状態で、他の片手で、その状態のまま壁面に容易に保持させることができる。【００３９】  これをより具体的に述べると、前記のように、前記据付板は、これを位置決めし、かつ水平状態に調整した上で、片手でその状態に保持しつつ、他の片手で、該据付板に開口してある多数の固定孔の内のなるべく中央付近のそれに前記一時保持材を挿入し、かつこれを、例えば、これが鋲状の部材であれば、その頭部を手で押して壁面に突き刺すことにより、これが釘状の部材であれば、金槌等により軽く打ち込むことにより、これがネジ状の部材であれば、電動ドライバー等によりねじ込むことにより、該壁面に簡単に一時保持させることができる。該一時保持材は、磁石部材で据付板に磁着保持されるので、電動ドライバー等を使用するために、一時的に手を離しても落下するようなことはなく、その作業を問題なく行うことができる。なお、以上の作業を行う場合に、前記据付板には、予め、その固定孔に前記一時保持材が挿入され得��ように前記一時保持手段を磁着保持させておくこととしても良い。【００４０】  こうして前記据付板は一時保持状態となるので、この後は、この据付板から両手を離すことが可能となる。それ故、この後は両手が自由に使えることになり、ネジ部材等を用いる該据付板の本固定を極めて簡単にかつ確実に実行することができる。これは先に述べたとおりである。また、前記一時保持手段は、本固定の後、それぞれの性質に応じたやり方、例えば、鋲状の部材であれば、その頭部を掴んで引き抜く等であり、そのようにして容易に除去することができる。【００４１】  本発明の３のエアコンの室内機用据付板の位置決め具によれば、該位置決め具を、前記据付板の下端の張出部に載置する場合に、水準器本体の下面より幅の狭い干渉回避部がその張出部上に載る状態となるので、該据付板の本体である直立部と該張出部との間に構成してある補強用のリブ等に干渉しないで済むことになる。【００４２】  本発明の４のエアコンの室内機用据付板の位置決め具によれば、前記据付板に据え付ける室内機の、前記幅確保定規を引き出す側に近接する壁があり、該据付板に据え付ける室内機の対応する側の側部と該壁との間に余裕がほとんど無い場合であっても、該据付板の位置決めの際に、前記幅確保定規をその引き出し限度まで引き出し、該幅確保定規の外端部が該壁の表面に接するか、該外端部と該壁との間に少し隙間が空く程度に、据付板の位置決めを行うことで、該据付板への室内機の据え付けを確実に行えるようにすることができる。【００４３】  なお、前記したように、据付板は、その最下部の張出部の上に載せて仮固定した位置決め具の穴指示棒を配管穴の内周最下部に当接させて位置決めするものであり、該据付板を横方向に大きく動かしてしまっては、冷媒用及びドレン用の各配管が該配管穴に通せなくなってしまうが、小さな横方向の変位であれば、各配管にはそれを受け入れられる程度の柔軟性はあり問題はない。前記配管穴はもともと適切な位置に構成してあるはずのものであり、もしずれがあるとしても僅かであるはずであるから、以上の横方向の変位は極めて僅かであるはずであり、以上の問題のない範囲にとどまる。
【図面の簡単な説明】
【００４４】
【図１】（ａ）はエアコンの室内機用据付板の位置決め具の正面図、（ｂ）は底面図、（ｃ）は左側面図、（ｄ）は右側面図。
【図２】（ａ）は一時保持手段の正面図、（ｂ）は平面図、（ｃ）は（ａ）の拡大図、（ｄ）は（ｂ）の拡大図。
【図３】（ａ）は室内機用の据付板の正面図、（ｂ）は右側面図、（ｃ）は平面図。
【図４】対象の壁面に配管穴を開けた状態の正面図。
【図５】一時保持手段を保持した位置決め具をセットした状態の据付板の正面図。
【図６】据付板の壁面への位置決め及び水平調整を行い、その前面に近接するところまで一時保持手段を近づけた状態の正面図。
【図７】（ａ）は位置決めを行うために位置決め具及び一時保持手段をセットした据付板を対象の壁面に近づけている状態を示した断面図（断面は壁側のみ）、（ｂ）は据付板にセットした位置決め具の穴指示棒を配管穴の内周最下部に当接させた状態の断面図（断面は壁側のみ）、（ｃ）は固定孔を通じて一時保持手段の鋲状部材を壁に突き刺し、据付板を一時保持状態にした断面図（断面は壁側のみ）、（ｄ）は（ｃ）の円Ａで示した部位の拡大図（断面は壁側のみ）。
【図８】据付板を取り付けた状態の壁面の正面図。
【発明を実施するための形態】
【００４５】  以下、発明を実施するための形態を実施例に基づいて添付図面を参照しつつ詳細に説明する。
【００４６】  図１及び図２に示すように、この実施例のエアコンの室内機用据付板の位置決め具は、略断面四辺形で横長の水準器本体１及びこれに配した水平測定部２からなる水準器３と、該水準器本体１の両側面に表示した寸法基準線（寸法基準部）４、４と、該水準器本体１の端部側に配した、穴指示棒５を備えた穴指示部６と、該水準器本体１の両側面に二個ずつ配した磁石部材７、７…と、該水準器本体１の下面に配設した管体（干渉回避部及び貫通孔）８とで基本的に構成し、更にこれに、表裏貫通する抱持孔９を開口した磁石部材１０及び該抱持孔９に挿入状態で固定した鋲状部材（一時保持材）１１からなる一時保持手段１２を組み合わせたものである。
【００４７】  前記水準器３は、以上に述べ、図１（ａ）〜（ｄ）に示すように、略断面四辺形で横長の水準器本体１及びその一部、この実施例では、そのほぼ中央部の水平測定部２からなる一般的な構成のそれである。該水平測定部２は、水準器本体１を立てて（上端面を上にして）使用する場合に有効に使用できるようになっている。該水平測定部２の構成は一般的なそれと同様であり、通常の構成の透明の容器部とこれに封入した気泡入の液体とからなり、水平状態では中央部に気泡が位置することとなるように構成してある。
【００４８】  前記寸法基準線４、４は、図１（ａ）、図５及び図６に示すように、これらと、前記穴指示棒５の軸心から前記水準器本体１の長さ方向に直交する方向に沿ってそれらの両側面に描いた仮装線に一致する穴指示線５ａとの間の間隔を、エアコンの室内機用据付板２０の寸法基準線（寸法基準部）２１とこの据付板２０に対して所定の位置関係にあるべき配管穴２２の中心を通る垂線との間の間隔と一致させて描いたものであり、特に図５及び図６に示すように、この位置決め具を据付板２０の下辺から前方に張り出した張出部２３上に載せる際に、その両面の寸法基準線４、４を該据付板２０に表示してある前記寸法基準線２１に一致させれば、該位置決め具の前記穴指示線５ａの上下方向の延長線上に前記配管穴２２の中心軸及び前記穴指示棒５が接するべき前記配管穴２２の内周最下部が位置することになる。
【００４９】  それ故、該穴指示棒５は、位置決め具の以上のような据付板２０への配置状態で、該据付板２０の穴指示矢印（寸法基準部）２４の指し示す方向の仮想延長線と前記位置決め具の穴指示線５ａの仮想延長線との交点（配管穴２２の中心軸の位置）から該配管穴２２の内周半径分だけ下方に位置するように位置決めするものである。
【００５０】  なお、前記穴指示部６は、図１（ａ）〜（ｄ）に示すように、前記水準器本体１の下面に固設した帯板状の基板６ａと該基板６ａに直交する向きに固設したナット部材６ｂ並びに該ナット部材６ｂに螺合した前記穴指示棒５とからなる。この穴指示部６の前記水準器本体１における位置関係は先に述べたとおりであり、該穴指示棒５の位置関係も、先に述べたとおりである。また先に述べたところから理解されるように、この実施例で採用した穴指示棒５はボルト状の部材である。穴指示棒５はこのようなボルト状の部材に限らない。
【００５１】  なおまた、前記水準器本体１の上面に、図１（ａ）中で中央より若干左よりの位置に帯状の鉄板である磁着板１ａが固設してあり、これに前記一時保持手段１２をその磁石部材１０の磁気作用で磁着し、付属させておくことができるようになっている。該磁着板１ａには、中央部に鋲挿入孔１ｂが開口してあり、該磁着板１ａに、該一時保持手段１２を、磁石部材１０で磁着し付属させる際に、前記鋲状部材１１を該鋲挿入孔１ｂに挿入することで、不都合なく、それができるようにしてある。
【００５２】  前記磁石部材７、７…は、位置決め具を前記据付板２０の下辺の張出部２３上に載置した際に、これらによって該据付板２０の直立部の前面に磁着仮固定するための手段であり、この実施例では、図１、図５及び図６に示すように、前記水準器本体１の両側面に各２個ずつ固設したものである。上記の趣旨のものであり、側面中の取付位置及び取付数は特に限定されないが、安定して確実に吸着仮固定できるように、適切な間隔及び数のものを固設すべきである。この実施例では、各二個の円形の磁石部材７、７を両側面に相互に対応させてリベットで固定してある。なお、この種の据付板２０は、磁性金属である鉄板で構成されている。
【００５３】  前記管体８は、図１、図５及び図６に示すように、前記水準器本体１の下面に、その長さ方向に沿って、かつ該下面の幅方向中央に位置させて固設したものである。特に図１（ａ）、（ｂ）、図５及び図６に示すように、その長さ方向に関しては、その中央部の若干前記穴指示部６寄りの位置から該穴指示部６とは反対側の端部近傍までの間に配置したものである。該管体８の外径は、該水準器本体１の下面の幅の概ね２／３であり、図５及び図６に示すように、前記据付板２０の下辺の張出部２３上にこの位置決め具を載置した場合に、該管体８が、該据付板２０の張出部２３上にのみ当接することになり、該据付板２０の直立部の下部、張出部２３の後部及びその間の中間小斜辺部２０ａに構成してあるリブ２０ｚ、２０ｚ…との干渉により該位置決め具の下部（水準器本体１の下部）が前方に押し出されたような状態になることを回避できる。すなわち、位置決め具はその水準器本体１の側面に配した磁石部材７、７が据付板２０の直立部に磁着しながらほぼ直立状態に該張出部２３上に載った状態となる。
【００５４】  またこの実施例では、図１（ａ）〜（ｃ）、図５及び図６に示したように、前記管体８には、幅確保定規１３を進退自在に挿入したものとした。詳細には、同図に示すように、該幅確保定規１３は、細帯状の金属部材で構成したものであり、前記管体８を前記水準器本体１に固設する２本のリベット８ａ、８ａの軸（各リベット８ａは該管体８の幅方向中央部を上下方向に貫通する状態に配してある）の一方側、この実施例では、図１（ａ）の水準器本体１の向き（右側に前記穴指示部６が位置する向き）で、該リベット８ａ、８ａの軸の手前側を通過するように該管体８に挿入したものである。
【００５５】  該幅確保定規１３は、先端（前記穴指示部６と反対側の端部）を、図１（ａ）の水準器本体１の向きで、手前側に直角に折曲して当接片部１３ａを構成し、後端（前記穴指示部６側の端部）を、同図中の水準器本体１の向きで、逆側に折曲して規制片部１３ｂに構成したものである。なお、該規制片部１３ｂは短く構成し、先端の当接片部１３ａ側を引き出した場合に、該規制片部１３ｂは、これに伴って前記管体８中に進入可能であり、更に当接片部１３ａ側を引き出すと、いずれ、該規制片部１３ｂが、前記２本のリベット８ａ、８ａの内の前記穴指示部６に近い方のそれに係止し、該当接片部１３ａのそれ以上の引き出しを規制する状態になる。
【００５６】  すなわち、これが幅確保定規１３の引き出し限度であり、図６に示すように、位置決め具を、その水準器本体１の両面の寸法基準線４、４を据付板２０の寸法基準線２１に一致させつつ該据付板２０の下辺の張出部２３上に載置した状態で、同図中一点鎖線で示したように、該幅確保定規１３をその引き出し限度まで引き出した場合に、その当接片部１３ａが、該据付板２０に据え付ける室内機の対応する側の側部を示す仮装線Ｌ２に一致する位置まで延びているように、該幅確保定規１３の長さを設定し、かつそのようになるように、前記２本のリベット８ａ、８ａの内の前記穴指示部６に近い方のそれの位置を設定しておくものである。
【００５７】  前記一時保持手段１２は、前記し、図２に示すように、表裏貫通する抱持孔９を開口した四辺形板状の磁石部材１０と該抱持孔９に挿入状態で固定した鋲状部材（一時保持材）１１とで構成したものである。該磁石部材１０は、同図に示すように、平面から見て逆Ｕ字形の磁性金属１０ａで抱えられ保護された構成となっている。この一時保持手段１２は、該据付板２０の位置決め及び水平状態調整が完了した時点で、前記据付板２０の多数の固定孔２０ｘ、２０ｘ…のいずれかに合わせた上で、該鋲状部材１１を該固定孔２０ｘに貫通させ、更に背後の壁面に突き刺して該据付板２０を該壁面に一時保持させるための手段である。該鋲状部材１１が、据付板２０に磁着仮固定状態になる磁石部材１０の抱持孔９に固定保持されており、片方の手で据付板２０を支持しながら、他の片方の手で該鋲状部材１１の突き刺し作業を確実に行うことができる。なお、この一時保持手段１２は、予め据付板２０の位置決め完了前に、その多数の固定孔２０ｘ、２０ｘ…のいずれかに合わせて磁着保持させておくこととしても良い。
【００５８】  この実施例では、エアコンの室内機用据付板の位置決め具を以上のように構成したので、前記据付板２０を所要の壁面に、簡単かつスピーディに、正確に位置決めし、更に正確に水平状態に調整した上で、取り付けることができる。特に新築の大規模な集合住宅の各部屋の壁面に据付板２０を取り付ける場合に極めて有効に用いることができる。
【００５９】  初めに対象の室内機用据付板２０について説明する。
この据付板２０は、図３に示すように、基本的に横長四辺形の磁性体の金属板材で構成したものであり、その上辺を僅かに前方に張り出した上で、その前端中央には斜め後ろ向きに立ち上がる主係止片２５を、前端両側付近には略直立する副係止片２６、２６を、それぞれ形成し、両側下部には、それぞれ側下部をほぼ四辺形に切り欠いた切欠部２７、２７を形成し、更に下辺には、前記したように、直立部から、特に図３（ｂ）から理解できるように、前方斜め下向きに延ばした中間小斜辺部２０ａを介して該直立部に対して直角に前方に張り出す前記張出部２３を構成し、その張出部２３の先端中央部には斜め上向きの下部係止片２３ａ構成したものである。
【００６０】  なお、前記主係止片２５は、図示しない室内機の裏面側上部中央に構成してある主係止溝に係止して該室内機を支持するための構成要素であり、前記副係止片２６、２６は、該室内機の裏面側上部両側付近に形成してある副係止溝に係止して、該主係止片２５と共に、該室内機を支持するための構成要素である。室内機を持ち上げて、主係止片２５に主係止溝を、副係止片２６、２６に各副係止溝を、それぞれを対応させた上で下降させ、それらを相互に係止状態にする。
【００６１】  前記下部係止片２３ａは、図示しない室内機の裏面側下部中央に構成してある下部係止溝に係止して、前記主係止片２５及び副係止片２６、２６による前記室内機の支持を確実にし、かつ安定した支持を確保するものである。前記主係止片２５と室内機の主係止溝との係止及び副係止片２６、２６と副係止溝との係止をさせた後、下部が前方に傾いた状態になっている該室内機の下部を後方（据付板２０側）に動かす（回動させる）ことにより、下部係止片２３ａに該室内機の下部係止溝を挿入係止状態にする。
【００６２】  前記据付板２０の本体部分である直立部には、図３（ａ）に示すように、多数の固定孔２０ｘ、２０ｘ…が開口してある。また前記主係止片２５及びその下部、両側の副係止片２６、２６の内部からその下方、それぞれの副係止片２６、２６の若干内側上辺から下辺まで、両側辺の途中、更に下辺の張出部２３の後部、これが繋がる直立部の下部及びその間の中間小斜辺部２０ａの部分のそれぞれに補強用のリブ２０ｚ、２０ｚ…が構成してある。
【００６３】  前記据付板２０には、図３（ａ）に示すように、両側下部の切欠部２７、２７に近接する内側の部位に底辺と直交する向きの前記寸法基準線２１、２１が表示してある。この寸法基準線２１、２１は、それぞれドレン用及び冷媒用の配管を通すべき配管穴２２の軸心が、その線から外方（右側のそれについては右方、左側のそれについては左方）の所定寸法の位置に位置することを示す基準線であり、その寸法は、当該の据付板２０を用いるエアコンの設置用の説明書及び、多くの場合は、この据付板２０の直立部に記されている。この実施例の場合は、図中には、都合上、記していないが、前記所定寸法は１００ｍｍということになっている。また該寸法基準線２１、２１に近接して、底辺に平行な前記穴指示矢印２４が表示されており、開口すべき前記配管穴２２の軸心は、該穴指示矢印２４からその指し示す方向に延長した仮想延長線と前記寸法基準線２１から前記所定寸法、この実施例では、１００ｍｍ左右外側のこれと平行な平行仮想線との交点にあると云うことになる。
【００６４】  その他、据付板２０には、これに据え付ける室内機の上部の位置、及び左右側部の位置を知るためのそれぞれの基準位置と、その基準位置からの寸法が記してあるが、これは、都合により図中には記さない。当然、これらを考慮して前記配管穴２２や据付板２０の位置決めを行うが、詳細は後述する。
【００６５】  この実施例では、前記のように、特に有効である新築の大規模な集合住宅の各部屋に以上の据付板２０を設置する場合を例にとって説明する。この場合は、予め各部屋の適切な壁面の適切な位置にドレン用及び冷媒用の配管を通すための配管穴２２を構成しておく。
【００６６】  該配管穴２２としてはその内周にスリーブパイプ２２ａを配して、ドレン用及び冷媒用の各配管の保護を十分にするようにする。そのため、この配管穴２２は、対象の集合住宅の壁の外面側に防水シートを張った段階でその作成を開始する。この段階で適切な位置に必要なサイズの穴を開け、壁の内部側に、該壁の厚さに対応する長さのスリーブパイプ２２ａを配置する。当該の壁の内部の間柱が、配置するスリーブパイプ２２ａに接する状態にあった場合は、該スリーブパイプ２２ａは該間柱に固設する。この固設は、この実施例では、ネジ部材又は釘を用いて行う。部屋によってはスリーブパイプ２２ａが間柱と接していないこともあり、その場合は、壁中に支持部材を配し、これにスリーブパイプ２２ａを固設する。支持部材は間柱や柱に固設する。
【００６７】  以上の配管穴２２の位置決めは、この実施例では、棒材で専用の定規を作り、これを用いて行うこととした。この定規は、前記棒材を部屋の床下地上に直立させ、前記配管穴２２の軸心に一致する高さ位置に高さ側の印を描き、更に該棒材を水平状態にした上でその一端を近い方の側方の壁面２８に当接させ、該棒材の前記配管穴２２の軸心に一致する横方向位置に横方向側の印を描いて作成するものである。
【００６８】  前記据付板２０は、幅及び高さ共に、据付対象の室内機のそれより小さく構成されている。それ故、該据付板２０は、その上方には、少なくとも、据え付け状態の室内機の据付板２０の上辺から上方にはみ出す部分の寸法分及び据付板２０に室内機を据え付ける作業上必要な寸法分の和以上の寸法分だけ、天井２９との間に隙間を空けておく必要があり、各横方向には、少なくとも、据え付け状態の室内機が据付板２０の側辺からはみ出す部分の寸法分だけ、側方の壁面２８との間に隙間を空けておく必要がある。前記定規の高さ側の印及び横方向側の印は、以上を考慮し、室内機の据え付け位置の希望に合わせて設定するものである。
【００６９】  この配管穴２２の位置決めは、当然、該配管穴２２の作成後にこれに合わせて室内機用の据付板２０を設置することを前提として行うものである。またその後にこの据付板２０に室内機を据え付ければ、室内機の設置位置が希望通りの位置になることを前提として行うものでもある。そしてこれは、この実施例では、前記定規を用いて、配管穴２２の位置決めを行うことで実現できることになる。
【００７０】  この配管穴２２の位置決め作業は、対象の壁の外面側に防水シートが設置された段階で行う。前記専用の定規をその一端側で床下地上（この建築の段階では床材がまだ設置されていない）に直立させ、該配管穴２２の軸心の高さ位置は、その高さ側の印で位置決めし、次いで該専用の定規を水平状態でその一端を前記側方の壁面２８に当接させ、該配管穴２２の軸心の横方向の位置は、その横方向側の印で位置決めする。高さ側の印に合わせて水平線を引き、横方向側の印に合わせて垂直線を引くと、該水平線と該垂直線の交点が該配管穴２２の軸心を表示することになる。
【００７１】  この後、該水平線と該垂直線の交点を目印として、該防水シートに該配管穴２２として推奨される径の穴、この実施例では７０ｍｍの穴を開け、この穴の軸心に軸心を一致させて同径のスリーブパイプ２２ａを配置し、これを外周が接する間柱にネジ止めする。該スリーブパイプ２２ａの外周は間柱に接するとは限らないので、その場合は、間柱や柱にその側部がスリーブパイプ２２ａに接するように、支持材を固設し、該支持材に該スリーブパイプ２２ａにネジ止めする。
【００７２】  その後に、壁の室内側に壁材が内張された場合は、種々の方法で該壁材に穴を開ける。例えば、開口している外部側からその壁材に穴を開ける。外部側に外装材を施す場合は、スリーブパイプ２２ａを若干外部に突き出させておけば、その位置を縦横方向から計測し、当該部位に施す外装材の対応する部位に予め対応する穴を開けたものを配設することになる。こうして、図４に示すように、対象の壁面３０に配管穴２２を予め構成しておく。
【００７３】  この実施例のエアコンの室内機用据付板の位置決め具では、以上のようにして構成された配管穴２２の位置を基準として、据付板２０の位置決めを行う。
なお、この実施例では、据付板２０の右側下方に配管穴２２を位置させる場合を例にとって説明する。この場合は、図１（ａ）、（ｂ）に示すように、位置決め具を、その右側に穴指示部６が位置するように向きを定めて使用する。逆に据付板２０の左側下方に配管穴２２を位置させる場合は、位置決め具を、左右反転させ、その左側に穴指示部６が位置するように向きを定める。この場合は、穴指示部６に配した穴指示棒５を、図１（ａ）、（ｂ）に示す場合とは、逆側に突出状態となるように、該穴指示部６のナット部材６ｂに螺合し直す。
【００７４】  位置決め具を、以上のように準備した上で、据付板２０の直立部の下辺から前方に張り出した張出部２３の上に載せ、かつ、図５に示すように、該位置決め具に付してある寸法基準線４を該据付板２０に表示してある配管穴２２の位置決めのための寸法基準線２１に一致させ、この状態で、該位置決め具をその水準器本体１の側面に配してある磁石部材７、７で該据付板２０の直立部の前面に磁着仮固定する。
【００７５】  なお、この時点で、この実施例では、図５に示すように、前記一時保持手段１２は、位置決め具の水準器本体１の上端面の磁着板１ａに磁着保持状態にしてあるが、場合によっては、前記据付板２０に開口してある多数の固定孔２０ｘ、２０ｘ…の内のなるべく中央付近のそれに前記鋲状部材１１が挿入され得るように前記一時保持手段１２をその磁力により吸着保持させておくことも可能である。
【００７６】  次いで、該据付板２０を各部屋の対象の壁面３０の該当する付近に移動させ、図６及び図７（ａ）、（ｂ）に示すように、該位置決め具の穴指示部６に配してある穴指示棒５を壁面３０に構成してある配管穴２２の内周最下部に当接させ、かつ該据付板２０の直立部の背面を該壁面３０に当接させる。その当接状態及び穴指示棒５の配管穴２２の内周最下部への当接状態のそれぞれを維持しながら、該位置決め具の水準器３を用いて該据付板２０を水平状態に調節する。
【００７７】  据付板２０の位置決め及び水平調節の完了時点で、図６中一点鎖線で示すように、前記管体８から前記幅確保定規１３を最大限度まで引き出し、その外端の当接片部１３ａが側方の壁面２８の手前にとどまることを確認する。この当接片部１３ａの到達ラインが据え付ける室内機の側部を示す仮装線Ｌ２である。該据付板２０に据え付ける室内機の側部が該側方の壁面２８と干渉して据え付け困難になることを回避するためであり、通常有り得ないが、念のために行う。なお、Ｌ１は、据え付ける室内機の上部を示す仮装線である。
【００７８】  このように、該据付板２０の位置決め及び水平状態調整が完了し、念のための上記操作も完了した時点で、図７（ｂ）、（ｃ）、（ｄ）に示すように、前記一時保持手段１２の鋲状部材１１を背後の壁面３０に差し込んで該据付板２０を該壁面３０に一時保持（仮保持）状態とする。
【００７９】  前記のような据付板２０の位置決め具を用いた位置決め及び水平状態調整は、同時に行うこれ以外の作業はないので、該据付板２０を両手で掴んで行うことができる。それ故その作業は極めて容易でありかつスピーディに行えるものである。その直後の据付板２０の一時保持（仮保持）のための作業は、一方の手で据付板２０を支持しながら、他方の手のみで行うことになる。これは、位置決め具の水準器本体１の上端面に配してある磁着板１ａから一時保持手段１２を取り外し、その鋲状部材１１を据付板２０の中央付近の固定孔２０ｘ、２０ｘ…の内のいずれか、この実施例では、図６及び図７（ｂ）、（ｃ）、（ｄ）に示すように、中央上部のそれに挿入し、更に押し込むことで簡単に行うことができる。こうして据付板２０は、適切な位置に位置決めされ、水平状態を維持した状態で、一時保持手段１２の鋲状部材１１が固定孔２０ｘを通じて壁面３０に差し込まれることにより、該壁面３０に簡単に一時保持（仮保持）されることになる。
【００８０】  こうして前記据付板２０は一時保持（仮保持）状態となるので、この後は、この据付板２０から手を離すことができる。それ故に、この後は両手が自由に使えることになり、ネジ部材３１、３１…や釘等を用いる該据付板２０の本固定を極めて簡単にかつ確実に実行することができる。この実施例では、図８に示すように、ネジ部材３１、３１…を、該据付板２０に開口してある多数の固定孔２０ｘ、２０ｘ…を通じて背後の壁面３０にねじ込むことで確定的に固定した。据付板２０の固定を確実にするために、横方向に連続してネジ部材３１、３１…を配することにより、壁内部の間柱等の位置する部位でのネジ止めも行う結果とした。
【００８１】  この後、据付板２０の一時保持（仮保持）のために差し込んである鋲状部材１１を壁面３０から抜き取り、図８に示すように、一時保持手段１２を該据付板２０から取り外す。
【００８２】  このようにして極めて簡単かつスピーディに据付板２０の壁面３０への位置決め、水平状態の調節及び取り付け固定を行うことができる。この実施例では、従来の手順で一般のメジャーや水準器等を用いて行う据付板の取り付けの場合に比して１／５〜１／１０程度の短時間でこの作業を完了させることができた。また未熟練者でも熟練者と殆ど異ならない時間で正確にこの作業を完了させることができた。
【００８３】  この後は、一般の手順に従って、ドレン用及び冷媒用の配管を前記配管穴２２に挿入し、室内機を前記据付板２０に据え付ける等の作業を行う。
【産業上の利用可能性】
【００８４】  本発明のエアコンの室内機用据付板の位置決め具は、これを製造する工業分野及びこれを用いるエアコンの設置作業の分野で利用することができる。
【符号の説明】
【００８５】１    水準器本体
１ａ  磁着板
１ｂ  鋲挿入孔
２    水平測定部
３    水準器
４    寸法基準線（寸法基準部）
５    穴指示棒
５ａ  穴指示線
６    穴指示部
６ａ  基板
６ｂ  ナット部材
７    磁石部材
８    管体
８ａ  リベット
９    抱持孔
１０  磁石部材
１０ａ  磁性金属
１１  鋲状部材（一時保持材）
１２  一時保持手段
１３  幅確保定規
１３ａ  当接片部
１３ｂ  規制片部
２０  室内機用据付板
２０ａ  中間小斜辺部
２０ｘ  固定孔
２０ｚ  リブ
２１  寸法基準線（寸法基準部）
２２  配管穴
２２ａ  スリーブパイプ
２３  張出部
２３ａ  下部係止片
２４  穴指示矢印（寸法基準部）
２５  主係止片
２６  副係止片
２７  切欠部
２８  側方の壁面
２９  天井
３０  対象の壁面
３１  据付板の固定用のネジ部材
Ｌ１  室内機の上部を示す仮装線
Ｌ２  室内機の側部を示す仮装線
【図１】
2019117042.tif 000003
【図２】
2019117042.tif 000004
【図３】
2019117042.tif 000005
【図４】
2019117042.tif 000006
【図５】
2019117042.tif 000007
【図６】
2019117042.tif 000008
【図７】
2019117042.tif 000009
【図８】
2019117042.tif 000010